(57)【要約】【課題】除塵機より除去したスクリーン渣をポンプ移送する際、１台の装置で移送と同時に洗浄を行い、省スペースで維持管理が容易、安価な設備費、維持費となるようにしたスクリーン渣の洗浄移送装置を提供すること。【解決手段】除塵機にて掻き揚げられたスクリーン渣をスクリーン渣貯留槽４に貯留し、スクリーン渣移送ポンプ６にてスクリーン渣分離機７まで移送するスクリーン渣の洗浄移送装置において、スクリーン渣移送管１０の途中に戻し弁２１で切り替え可能な戻し管１６を設け、スクリーン渣移送ポンプ６により移送されるスクリーン渣を、戻し弁２１を切り替えてスクリーン渣貯留槽４へ戻すことにより循環させ、攪拌することにより洗浄を行い、洗浄の後、移送弁２２を切り替えてスクリーン渣をスクリーン渣分離機７へ移送する。【選択図】図１
2005279532.tif 000002
【特許請求の範囲】
【請求項１】
除塵機にて掻き揚げられたスクリーン渣をスクリーン渣貯留槽に一時貯留し、スクリーン渣移送ポンプにてスクリーン渣分離機まで移送するスクリーン渣の洗浄移送装置において、スクリーン渣移送管の途中に弁で切り替え可能な戻し管を設け、スクリーン渣移送ポンプにより移送されるスクリーン渣を、弁を切り替えてスクリーン渣貯留槽へ戻すことにより循環させ、攪拌することにより洗浄を行い、洗浄の後、弁を切り替えてスクリーン渣をスクリーン渣分離機へ移送するように構成したことを特徴とするスクリーン渣の洗浄移送装置。
【発明の詳細な説明】
【技術分野】
【０００１】
本発明は、スクリーン渣の洗浄移送装置に関し、特に、除塵機より除去したスクリーン渣をポンプ移送するに際し、１台で洗浄と移送とを同時に行うようにしたスクリーン渣の洗浄移送装置に関するものである。
【背景技術】
【０００２】
従来、除塵機より除去したスクリーン渣や沈砂の洗浄装置として、一般に使用されているものとして、フライトコンベヤ、羽根車攪拌式、空気攪拌式、二重胴式等の洗浄装置が提案されている。
また、搬送装置として、ベルトコンベヤ、フライトコンベヤ、スキップホイスト、コルゲートサイドコンベヤ等が提案されている。
【０００３】
ところで、スクリーン渣を洗浄し、移送する装置は、各々別の技術である洗浄装置と搬出装置を互いに組み合わせて使用するようにしている。
【０００４】
このため、このスクリーン渣の洗浄移送装置は、洗浄装置と搬出装置とを組み合わせて設けているので、処理場に広い設置スペースが必要であるとともに、それぞれ維持管理を行う必要があるうえ設備費や維持費が高くなるという問題があった。
【発明の開示】
【発明が解決しようとする課題】
【０００５】
本発明は、上記従来のスクリーン渣の洗浄、移送装置の有する問題点に鑑み、除塵機より除去したスクリーン渣をポンプ移送する際、１台の装置で移送と同時に洗浄を行い、省スペースで維持管理が容易、安価な設備費、維持費となるようにしたスクリーン渣の洗浄移送装置を提供することを目的とする。
【課題を解決するための手段】
【０００６】
上記目的を達成するため、本発明のスクリーン渣の洗浄移送装置は、除塵機にて掻き揚げられたスクリーン渣をスクリーン渣貯留槽に一時貯留し、スクリーン渣移送ポンプにてスクリーン渣分離機まで移送するスクリーン渣の洗浄移送装置において、スクリーン渣移送管の途中に弁で切り替え可能な戻し管を設け、スクリーン渣移送ポンプにより移送されるスクリーン渣を、弁を切り替えてスクリーン渣貯留槽へ戻すことにより循環させ、攪拌することにより洗浄を行い、洗浄の後、弁を切り替えてスクリーン渣をスクリーン渣分離機へ移送するように構成したことを特徴とする。
【発明の効果】
【０００７】
本発明のスクリーン渣の洗浄移送装置によれば、弁を切り替えてスクリーン渣を戻し管でスクリーン渣貯留槽に戻すことにより、スクリーン渣はスクリーン渣移送ポンプと配管内を循環し、その間に繰り返し攪拌洗浄され高い洗浄効果が得られ、また、弁を切り替えるだけでスクリーン渣をスクリーン渣分離機へ移送することができるため、移送のための別の装置が不要とすることができる。
【発明を実施するための最良の形態】
【０００８】
以下、本発明のスクリーン渣の洗浄移送装置の実施の形態を、図面に基づいて説明する。
【実施例１】
【０００９】
図１に、本発明のスクリーン渣の洗浄移送装置の第１実施例を示す。
このスクリーン渣の洗浄移送装置は、除塵機にて掻き揚げられたスクリーン渣をスクリーン渣貯留槽４に貯留し、スクリーン渣移送ポンプ６にてスクリーン渣分離機７まで移送するスクリーン渣の洗浄移送装置において、スクリーン渣移送ポンプ６により移送されるスクリーン渣を、戻し弁２１を切り替えてスクリーン渣貯留槽４へ戻すことにより循環させ、攪拌することにより洗浄を行い、洗浄の後、移送弁２２を切り替えてスクリーン渣をスクリーン渣分離機７へ移送するように構成している。
【００１０】
下水処理場等に設置した除塵機１に、該除塵機１より掻き揚げたスクリーン渣を搬出機２、特に限定されるものではないが、例えば、図示のようにコンベヤを介して除塵機１より排出し、搬出機２の端部下方位置に配置したスクリーン渣破砕機３へ供給し、ここで掻き揚げ排出したスクリーン渣を一定の大きさ以下になるよう破砕するようにする。この場合、搬出機２は水平に設置、或いは傾斜して配置することも可能である。
このスクリーン渣破砕機３の下方位置には、スクリーン渣貯留槽４を配置して、スクリーン渣破砕機３にて破砕されたスクリーン渣を一時貯留するようにする。
【００１１】
また、このスクリーン渣貯留槽４には、越流スクリーン５を備え、スクリーン渣貯留槽４から破砕されたスクリーン渣を越すようにしてその越流水を越流排水管１３を介して排水管１２へ排水できるようにするとともに、該スクリーン渣貯留槽４にて破砕スクリーン渣を洗浄するための洗浄水を供給する洗浄水供給管１５と戻し管１６とを配管する。
【００１２】
スクリーン渣貯留槽４の下部には、ドレン弁２０を備えたドレン管１４と、スクリーン渣移送ポンプ６とを配設し、ドレン管１４の先端を前記排水管１２に接続し、スクリーン渣移送ポンプ６にはスクリーン渣分離機７までスクリーン渣を移送できるよう移送弁２２を備えたスクリーン渣移送管１０を配管する。
このスクリーン渣移送管１０はその途中で分岐して戻し管１６を接続し、この戻し管１６に戻し弁２１を備えるとともに、その先端を前記スクリーン渣貯留槽４に接続してスクリーン渣移送管１０内を移送されるスクリーン渣の一部或いは全部を戻し弁２１の切り替え操作にて選択的にスクリーン渣貯留槽４へ戻すようにする。
なお、移送弁２２は、戻し管１６より後流側のスクリーン渣移送管１０に配設するものとする。
【００１３】
スクリーン渣分離機７は、スクリーン渣移送管１０より一緒にして移送されてくる洗浄移送水とスクリーン渣とを分離するもので、この分離したスクリーン渣を掻揚機にてスクリーン渣分離機外へ排出するようにするとともに、スクリーン渣分離機７よりの越流水は越流排水管１７を介して、またドレン水はドレン排水管１８を介して排水管１１に接続し、外部へ排水できるようにする。
このスクリーン渣分離機７より掻き揚げ、排出したスクリーン渣は、スクリーン渣脱水機８へ供給し、ここで所要の脱水をしてから、スクリーン渣ホッパ９へ排出し、一時的に貯留できるようにする。
なお、このスクリーン渣脱水機８からの離脱水は、排水管１９を介して排水管１１に排水できるように配管接続する。
【００１４】
次に、本発明のスクリーン渣の洗浄移送装置の作用について説明する。
除塵機１より掻き揚げられたスクリーン渣はコンベヤ２でスクリーン渣破砕機３まで搬送され、このスクリーン渣破砕機３にて所要の大きさに破砕された後、スクリーン渣貯留槽４にて一時的に貯留される。
なお、この場合、洗浄水供給管１５より洗浄水が供給され、かつ越流水を越流スクリーン５を介して排水し、これによりスクリーン渣貯留槽４は、洗浄水で一定水位に保たれるようにする。
【００１５】
次に、移送弁２２を閉じ、戻し弁２１を開としてスクリーン渣移送ポンプ６を運転するとともに洗浄水をスクリーン渣貯留槽４内に投入することで、スクリーン渣は洗浄水と共にスクリーン渣貯留槽４と戻し管１６間を循環するようになり、これを一定時間行うことでスクリーン渣の洗浄が行われる。この洗浄時間は、スクリーン渣の量、性状等に応じて設定するものとする。
この時、越流スクリーン５にてスクリーン渣貯留槽４内のスクリーン渣が越流水とともに越流するのを防止することができる。
【００１６】
このようにして、一定時間洗浄を行った後、スクリーン渣分離機以降の設備を運転して、移送弁２２を開き、戻し弁２１を閉としてスクリーン渣の洗浄移送運転を行う。そして、スクリーン渣貯留槽４が空になった時点でスクリーン渣移送ポンプ６を停止し、洗浄水でスクリーン渣貯留槽４内を一定水位を保持して運転を終了する。
なお、スクリーン渣の洗浄、移送工程で排水される洗浄水は、排水管１１，１２を介して外部へ排水するものである。
【００１７】
以上、本発明のスクリーン渣の洗浄移送装置について、実施例に基づいて説明したが、本発明は上記実施例に記載した構成に限定されるものではなく、その趣旨を逸脱しない範囲において適宜その構成を変更することができるものである。
【産業上の利用可能性】
【００１８】
本発明のスクリーン渣の洗浄移送装置は、除塵機より除去したスクリーン渣をポンプ移送する際、１台の装置で移送と同時に洗浄を行うことができることから、スクリーン渣の洗浄移送装置の用途に好適に用いることができるほか、例えば、一定量のバッチ洗浄及び移送の用途にも用いることができる。
【図面の簡単な説明】
【００１９】
【図１】本発明のスクリーン渣の洗浄移送装置の実施例を示す説明図である。
【符号の説明】
【００２０】
１    除塵機
２    搬出機
３    スクリーン渣破砕機
４    スクリーン渣貯留槽
５    越流スクリーン
６    スクリーン渣移送ポンプ
７    スクリーン渣分離機
８    スクリーン渣脱水機
９    スクリーン渣ホッパ
１０  スクリーン渣移送管
１１  排水管
１２  排水管
１３  越流排水管
１４  ドレン管
１５  洗浄水供給管
１６  戻し管
１７  越流排水管
１８  ドレン排水管
１９  排水管
２０  ドレン弁
２１  戻し弁
２２  移送弁
【図１】
2005279532.tif 000003